(57)【要約】      （修正有）【課題】用途が広く使いやすい複合たわしを提供する。【解決手段】複合たわしは、通常の汚れを落とす機能を有する通常洗浄体１と、金属ワイヤ２ａをコイル状に加工したものを不規則的に絡み合わせてなる金属たわしからなる強力洗浄体２とを一体化したものである。通常洗浄体１は弾性を有する針状の植物繊維又はプラスチック繊維を針金又は細縄等で脱落不能に束ね、結束した各繊維１ａの先端部を切り揃えて被洗浄物の表面を洗浄容易な形状に形成したものからなる。強力洗浄体２は通常の金属たわしを一体に保持して洗浄容易な形状に成形したものからなる。１個のたわしで広範な汚れ落としに対処可能なので便利であることは元より、金属たわしが固く結束された通常洗浄体に結合していることからさらに洗浄能力を向上させることができる。【選択図】図１
0003133980.tif 000002
【実用新案登録請求の範囲】
【請求項１】
弾性を有する針状の植物繊維又はプラスチック繊維を針金又は細縄等で脱落不能に束ね、束にした上記各繊維の先端部を切り揃えて被洗浄物の表面を洗浄容易な形状に形成してなる通常洗浄体と、
上記通常洗浄体の結束部側に接着剤を介して結合してあり、弾性を有する金属ワイヤをコイル状に加工したものを不規則的に絡み合わせて上記通常洗浄体と同様の形状に成形してなる強力洗浄体と
からなることを特徴とする複合たわし。
【考案の詳細な説明】
【技術分野】
【０００１】
本考案は、植物たわし又はプラスチックたわしと金属たわしとを一体にした複合たわしに関するものである。
【背景技術】
【０００２】
たわしは古くから器物を洗浄する清掃具として広く使われているが、これらの種類としては用途や素材により種々のものがある。中でもココナッツ椰子の繊維を一定の長さに裁断し、２つ折りにした針金に挟んで巻き込んでなるたわしは亀の子たわし（登録商標）として古くから広く知られている。その他、硬質のナイロン繊維を亀の子たわしと同様の構成にしてあるナイロンたわし、金属ワイヤを適当な大きさの固形状にしてなる金属たわし、食器等を洗うために用いるスポンジたわし等がある（非特許文献１）。これらの各たわしは台所を初めとして工事現場等においてそれぞれの用途に応じて清掃具として広く用いられている。
【０００３】
【非特許文献１】西尾商店ホームページ
【考案の開示】
【考案が解決しようとする課題】
【０００４】
上記の各種のたわしは、各用途に応じて洗浄能率を向上させることにより、清掃具としての機能を発揮していることは疑いない。しかしながらこれらを台所用品として使用する場合には通常の鍋や釜を洗うものと、鍋底に焦げ付いた炭化物などを剥がし取る場合とでは異なる機能を有するたわしを使い分けする必要がある。このような場合に台所に複数種類のたわしを用意しておくことは非使用時における保管を面倒なものとしている。また、工事現場でバケツや工具等を洗浄する場合にはこれらに付着しているものの性質に対応して使い分けすることが必要とされる。工事現場等においては多数の工事用道具を携帯しなければならないことから、複数種類のたわしを携帯することは煩瑣である。かといって一種類のたわしで間に合わすことは洗浄不能や洗浄能率の原因となる問題がある。
【課題を解決するための手段】
【０００５】
本考案は、上記の課題を解決するために、以下の手段を採用することにより以下の作用効果を生じるようにしたものである。本考案に係る複合たわしは、弾性を有する針状の植物繊維又はプラスチック繊維を針金又は細縄等で脱落不能に束ね、束ねた上記の各繊維の先端部を切り揃えて被洗浄物の表面を洗浄容易な形状に形成してなる通常洗浄体と、この通常洗浄体の結束部側に接着剤を介して結合してあり、弾性を有する金属ワイヤをコイル状に加工したものを不規則的に絡み合わせて通常洗浄体と同様の形状に成形してなる強力洗浄体とからなることを特徴とする。ここで通常洗浄体とは通常の汚れを除去するためにこすりつける部分を指し、通常のたわしに相当する部分である。これに対し、強力洗浄体とは鍋底の焦げ付きなど通常のたわしでは除去困難な汚れを除去容易とするもので、金属ワイヤを成形してなるたわしの部分がこれに該当する。
【０００６】
上記のとおり、本考案に係る複合たわしは、単体のたわしでありながら通常洗浄体と強力洗浄体とを備えているため、汚れの大部分を１つのたわしで除去可能であるとともに、保管場所を節減できるほか、工事現場等においては複数のたわしを携帯する必要がなくなるので、作業能率を向上させることが可能である。また、強力洗浄体は固く結束された通常洗浄体と一体に結合しているため、被洗浄体をこすっている時に容易に形が崩れず、大きな力で洗浄面をこすることができるので洗浄能率をさらに向上させることが可能になる。
【考案の効果】
【０００７】
本考案に係る複合たわしは、単体のたわしでありながら通常洗浄体と強力洗浄体とを備えているため、汚れの大部分を１つのたわしで除去可能であるとともに、単体であるため保管場所を節減できるほか、工事現場等においては複数のたわしを携帯する必要がなくなるので、作業能率を向上させることが可能となる。また、強力洗浄体は固く結束された通常洗浄体に保持されているため、通常洗浄体を握って被洗浄面にこすりつければ大きな力を加えることができるので、洗浄能率を向上可能である。
【考案を実施するための最良の形態】
【０００８】
本出願に係る複合たわしは、図１に示すように、ココナッツ椰子等の弾性を有する針状の植物繊維１ａからなる通常洗浄体１と、弾性を有する金属ワイヤ２ａをコイル状に加工したものを不規則的に絡み合わせることにより通常洗浄体と同様の形状に成形してなる強力洗浄体２とを一体に結合したものからなる。通常洗浄体１は複数の弾性を有する針状の植物繊維１ａを棕櫚縄等の細紐４で所定の形状及び大きさに結束し、先端部を被洗浄体の表面を擦過しやすい状態に切り揃えてある。なお、各植物繊維１ａの固定は、２つ折りにした針金に各植物繊維１ａを挟んで巻き込んで楕円形に近い形状に成形してある。針金の各端部はたわしの一側部で丸めて吊り下げ用リング部３としてある。
【０００９】
通常洗浄体１の基部側には金属ワイヤ２ａからなる強力洗浄体２が位置している。金属ワイヤ２ａは直径が０．１６〜０．２５ｍｍのステンレス細線をコイル状に成形したものを絡み合わせることによりたわしとして使用可能な形状にしてある。市販の金属たわしとほぼ同一のものを強力洗浄体２として採用したものである。金属ワイヤとしてはこの他安価なスティールワイヤを採用してもよい。
【００１０】
図２は、複合たわしの構造を断面図で示したものである。通常洗浄体１と強力洗浄体２との対向面に接着剤５を介在させることにより、両者を一体に結合してある。接着剤としては、木材その他の植物材にも金属にも効能を有するエポキシ系樹脂接着剤を採用してある。
【００１１】
図３は、強力洗浄体２を下向きにして被洗浄面にこすりつけることにより剥がれにくくなっている汚れを落とすことができる状態になっていることを示している。強力洗浄体２が固く結束された通常洗浄体１と一体になっているため、たわし全体を手で持ちやすく、作業しやすくなる。このため、単体の金属たわしを使用する場合よりも洗浄能率を向上させることが可能となる。
【００１２】
上記の説明では、通常洗浄体１を通常の亀の子たわし（登録商標）と同じ素材からなるものとしてあるが、これをナイロン等のプラスチックとしてもよい。また、用途としては、台所用品として掌に納まる大きさのものから、工事現場や工場でコンクリート管や桶を洗う場合に使用する両手で使うような大きさのものまでに適用可能である。
【産業上の利用可能性】
【００１３】
本考案は、多用途たわしに関するものであり、本考案の実施により産業の発達に寄与するものである。
【図面の簡単な説明】
【００１４】
【図１】通常洗浄体が使用可能状態になっていることを示す側面図である。
【図２】強力洗浄体が使用可能状態になっていることを示す側面図である。
【図３】複合たわしの構成を示す断面図である。
【符号の説明】
【００１５】
１      通常洗浄体
１ａ    植物繊維
２      強力洗浄体
２ａ    金属ワイヤ
５      接着剤
【図１】
0003133980.tif 000003
【図２】
0003133980.tif 000004
【図３】
0003133980.tif 000005
【手続補正書】
【提出日】平成19年5月17日(2007.5.17)
【手続補正１】
【補正対象書類名】実用新案登録請求の範囲
【補正対象項目名】請求項１
【補正方法】変更
【補正の内容】
【請求項１】
弾性を有する針状の植物繊維又はプラスチック繊維を針金又は細縄で脱落不能に束ね、束にした上記各繊維の先端部を切り揃えて被洗浄物の表面を洗浄容易な形状に形成してなる通常洗浄体と、
上記通常洗浄体の結束部側に接着剤を介して結合してあり、弾性を有する金属ワイヤをコイル状に加工したものを不規則的に絡み合わせて上記通常洗浄体と同様の形状に成形してなる強力洗浄体と
からなることを特徴とする複合たわし。